(57)【特許請求の範囲】
【請求項１】
穀粒タンクの底部から穀粒を揚送する縦オーガと、この縦オーガの上端部に起伏揺動可能に連結され、前記縦オーガの縦向き軸心周りに旋回可能な横オーガと、この横オーガを収納位置において支持する受け台とを備えるコンバインにおいて、
前記受け台に、前記横オーガを収納するよう底部と該底部の両端から上方に延出された一対の縦向き部とで構成される収納空間が備えられており、
一対の前記縦向き部は、その上端に近付くほど互いに離間する傾斜状に延出されており、
前記収納空間を上方から覆う閉姿勢と、前記収納空間の上方を開放する開姿勢とに揺動自在なアーム部が備えられており、
前記アーム部は、前記開姿勢において一方の前記縦向き部の延び方向に沿って前記一方の縦向き部の延長上に位置するように、前記一方の縦向き部の上部側に揺動自在に支持されており、
前記閉姿勢における前記アーム部の前記一方の縦向き部からの延伸長さは、前記横オーガの断面半径よりも長くなるように、かつ、前記アーム部の先端部が前記収納空間に収納された前記横オーガを上方に揺動させるときの前記横オーガの軸心の軌跡よりも前記一方の縦向き部側に位置するように設定されており、
前記アーム部に、前記横オーガと接触する接触部分が一体に設けられていると共に、前記開姿勢において前記接触部分が前記一方の縦向き部から前記軌跡を越えて他方の前記縦向き部側に延びている状態で前記収納空間の上方に配置されており、前記横オーガを前記収納空間に収納するときの前記横オーガの前記接触部分に対する上からの押圧によって前記アーム部が揺動して前記閉姿勢となり、
前記アーム部の前記開姿勢からさらに前記収納空間から離れる側への揺動を止めるストッパー部材と、
前記開姿勢と前記閉姿勢との間で、前記アーム部を前記開姿勢側に揺動させるように付勢する状態と前記アーム部を前記閉姿勢側に揺動させるように付勢する状態とに切り替わる付勢部材と、が備えられており、
前記付勢部材は、前記アーム部が前記開姿勢側の領域に位置する場合に、前記アーム部を前記開姿勢側に揺動させるように付勢する状態に切り替わると共に、前記アーム部が前記閉姿勢側の領域に位置する場合に、前記アーム部を前記閉姿勢側に揺動させるように付勢する状態に切り替わるコンバイン。
【請求項２】
前記アーム部の揺動軸心は、前記収納空間に収納された前記横オーガの軸心よりも上方で、かつ、当該横オーガの上端よりも下方の高さ位置に設定されている請求項１に記載のコンバイン。
【請求項３】
前記アーム部と前記接触部分は、略直角となるように設けられている請求項１又は２に記載のコンバイン。
【請求項４】
前記アーム部を前記閉姿勢に保持及び保持解除自在な保持手段を備える請求項１〜３のいずれか１項に記載のコンバイン。
【請求項５】
前記アーム部が前記開姿勢にあることを検出する検出手段と、前記アーム部が前記開姿勢にあることを表示する表示手段とを備える請求項１〜４のいずれか１項に記載のコンバイン。
【請求項６】
前記表示手段が、前記横オーガに備えられる請求項５に記載のコンバイン。
【発明の詳細な説明】
【技術分野】
【０００１】
本発明は、穀粒タンクの底部から穀粒を揚送する縦オーガと、この縦オーガの上端部に起伏揺動可能に連結され、前記縦オーガの縦向き軸心周りに旋回可能な横オーガと、この横オーガを収納位置において支持する受け台とを備えるコンバインに関する。
【背景技術】
【０００２】
従来のコンバインとしては、例えば、特許文献１及び２に示すものが知られている。ここでは、上向きに弾性付勢されるスイッチが受け台に設けられており、横オーガが受け台に収納されてそのスイッチに接触すると、横オーガが収納状態となったことが電気的に検出される仕組みになっている。
【先行技術文献】
【特許文献】
【０００３】
【特許文献１】実開平６−１７４４５号公報（図３、図５）
【特許文献２】特開２００１−２７５４６７号公報（図６）
【発明の概要】
【発明が解決しようとする課題】
【０００４】
特許文献１及び２に記載されるコンバインでは、例えば、横オーガが受け台まで旋回してスイッチに接触すると横オーガの旋回動作が自動的に停止するように構成されており、これにより作業者は横オーガが受け台に収納されたことを間接的に知ることができる。
しかし、上記構成では、スイッチや電気系統等に何か不具合が生じると、たとえ横オーガが受け台に収納されていたとしてもその収納状態が検出されないため、作業者にとって横オーガが受け台にきちんと収納されたことを知ることができない場合が生じ、改善する余地が残されていた。
【０００５】
本発明の目的は、横オーガの収納状態を確実に確認することができるようにすることにある。
【課題を解決するための手段】
【０００６】
本発明のコンバインの第１特徴構成は、穀粒タンクの底部から穀粒を揚送する縦オーガと、この縦オーガの上端部に起伏揺動可能に連結され、前記縦オーガの縦向き軸心周りに旋回可能な横オーガと、この横オーガを収納位置において支持する受け台とを備えるコンバインにおいて、前記受け台に、前記横オーガを収納するよう底部と該底部の両端から上方に延出された一対の縦向き部とで構成される収納空間が備えられており、一対の前記縦向き部は、その上端に近付くほど互いに離間する傾斜状に延出されており、前記収納空間を上方から覆う閉姿勢と、前記収納空間の上方を開放する開姿勢とに揺動自在なアーム部が備えられており、前記アーム部は、前記開姿勢において一方の前記縦向き部の延び方向に沿って前記一方の縦向き部の延長上に位置するように、前記一方の縦向き部の上部側に揺動自在に支持されており、前記閉姿勢における前記アーム部の前記一方の縦向き部からの延伸長さは、前記横オーガの断面半径よりも長くなるように、かつ、前記アーム部の先端部が前記収納空間に収納された前記横オーガを上方に揺動させるときの前記横オーガの軸心の軌跡よりも前記一方の縦向き部側に位置するように設定されており、前記アーム部に、前記横オーガと接触する接触部分が一体に設けられていると共に、前記開姿勢において前記接触部分が前記一方の縦向き部から前記軌跡を越えて他方の前記縦向き部側に延びている状態で前記収納空間の上方に配置されており、前記横オーガを前記収納空間に収納するときの前記横オーガの前記接触部分に対する上からの押圧によって前記アーム部が揺動して前記閉姿勢となり、前記アーム部の前記開姿勢からさらに前記収納空間から離れる側への揺動を止めるストッパー部材と、前記開姿勢と前記閉姿勢との間で、前記アーム部を前記開姿勢側に揺動させるように付勢する状態と前記アーム部を前記閉姿勢側に揺動させるように付勢する状態とに切り替わる付勢部材と、が備えられており、前記付勢部材は、前記アーム部が前記開姿勢側の領域に位置する場合に、前記アーム部を前記開姿勢側に揺動させるように付勢する状態に切り替わると共に、前記アーム部が前記閉姿勢側の領域に位置する場合に、前記アーム部を前記閉姿勢側に揺動させるように付勢する状態に切り替わる点にある。
【０００７】
〔作用及び効果〕
本構成においては、横オーガが受け台の収納空間に収納されているときには、アーム部が閉姿勢となり、横オーガが受け台の収納空間に収納されていないときには、アーム部が開姿勢となる。
そのため、作業者は、アーム部の姿勢を見れば、横オーガが受け台の収納空間に収納されているか否かを確実に確認することができる。
また本構成においては、横オーガを受け台の収納空間に収納するときに、横オーガがアーム部の接触部分に接触することによってアーム部が揺動して閉姿勢となるように構成されているため、アーム部を揺動させるための動力源や伝動系等の複雑な構成を必要とせず、簡易な構成で実施することができ、故障等が発生し難く、低コスト化も図れる。
また、本構成によれば、アーム部の開姿勢からさらに収納空間から離れる側への揺動を止めるストッパー部材を備えるため、ストッパー部材によってアーム部の開姿勢が一定の姿勢に保たれ、作業者が確認し易い。
第２特徴構成は、前記アーム部の揺動軸心は、前記収納空間に収納された前記横オーガの軸心よりも上方で、かつ、当該横オーガの上端よりも下方の高さ位置に設定されている点にある。
第３特徴構成は、前記アーム部と前記接触部分は、略直角となるように設けられている点にある。
【０００８】
【０００９】
【００１０】
第４特徴構成は、前記アーム部を閉姿勢に保持及び保持解除自在な保持手段を備える点にある。
【００１１】
〔作用及び効果〕
本構成によれば、保持手段によってアーム部が閉姿勢に保持されるため、アーム部が横オーガを受け台に固定するストッパーとしての機能を有するようになり、受け台の収納空間に収納された横オーガがより確実に受け台に保持される。
【００１２】
【００１３】
【００１４】
第５特徴構成は、前記アーム部が開姿勢にあることを検出する検出手段と、前記アーム部が開姿勢にあることを表示する表示手段とを備える点にある。
【００１５】
〔作用及び効果〕
本構成によれば、作業者が、アーム部を直接視認しなくとも、検出手段及び表示手段によってアーム部の開姿勢を確認することができるため、特にアーム部を視認し難い夜間において、横オーガが受け台の収納空間に収納されているか否かを確認することができる。
【００１６】
第６特徴構成は、前記表示手段が、前記横オーガに備えられる点にある。
【００１７】
〔作用及び効果〕
本構成によれば、表示手段が横オーガに備えられているため、横オーガの動きと、表示手段とを同時に確認することができ、横オーガが受け台の収納空間に収納されているか否かをより確認し易い。
【図面の簡単な説明】
【００１８】
【図１】自脱型コンバイン全体の左側面図である。
【図２】自脱型コンバイン全体の平面図である。
【図３】受け台とアーム部の分解斜視図である。
【図４】受け台とアーム部の平面図（ａ）及び正面図（ｂ）である。
【図５】第２実施形態における受け台とアーム部の斜視図である。
【図６】第２実施形態における受け台とアーム部の平面図（ａ）及び正面図（ｂ）である。
【図７】第２実施形態におけるアーム部の開姿勢（ａ）及び閉姿勢（ｂ）の正面図である。
【発明を実施するための形態】
【００１９】
〔第１実施形態〕
図１〜図４に基づいて、本発明を自脱型コンバインに適用した場合の実施形態について説明する。
［コンバインの全体構成］
図１及び図２に示すように、自脱型コンバインは、クローラ走行装置１、機体２、４条全面刈り仕様の刈取部３、刈取部３で刈り取った穀稈を徐々に横倒ししながら脱穀部５に受け渡す縦搬送装置１９、操縦部４、縦搬送装置１９により搬送された穀稈を脱穀及び選別する脱穀部５、脱穀部５から供給される穀粒を貯留する穀粒タンク６、穀粒タンク６から機外に穀粒を排出する縦オーガ８及び横オーガ９、並びに横オーガ９を収納位置において支持する受け台３０を備える。
【００２０】
縦オーガ８は、穀粒タンク６の底部の排出スクリュ（図示せず）の後端部に連結されたロアケース（図示せず）と、ロアケースから上方に延出された外装ケース１５と、この外装ケース１５の内部に回転可能に支持された縦送りスクリュ（図示せず）とを備える。
【００２１】
横オーガ９は、機体側に位置する機体側部分９Ａと、先端側に位置する先端側部分９Ｂと、機体側部分９Ａの内部に回転可能に支持された第１搬送スクリュ（図示せず）と、機体側部分９Ｂの内部に回転可能に支持された第２搬送スクリュ（図示せず）とを備え、縦オーガ８の上端部に起伏揺動可能に連結されている。
【００２２】
尚、先端側部分９Ｂは、機体側部分９Ａに折り畳み機構２０を介して揺動可能に支持されている。これにより横オーガ９は、先端側部分９Ｂの後端と機体側部分９Ａの前端とが互いに接合して先端側部分９Ｂが機体側部分９Ａと略一直線状になって展開した展開状態（図１及び図２参照）と、先端側部分９Ｂが機体側部分９Ａ側に折り畳まれて、機体側部分９Ａの側部に沿って格納した格納状態（図示せず）とに、先端側部分９Ｂを揺動させることにより、横オーガ９の状態を切換え可能に構成されている。
【００２３】
操縦部４に設けたオーガ操作部（図示せず）を操作することによって、縦オーガ８と横オーガ９とに亘って設けた油圧シリンダ１２によって、縦オーガ８の上端部を支点として横オーガ９を起伏揺動させることができ、また縦オーガ８下方のロアケース（図示せず）に設けた旋回モータ（図示せず）を回転させて、縦オーガ８の縦向き軸心周りに縦オーガ８及び横オーガ９を旋回させることができる。
【００２４】
穀粒タンク６に貯留された穀粒を排出する場合、受け台３０に収納されている横オーガ９を、縦オーガ８の上端部を支点として上方に揺動させて受け台３０から外し、さらに、縦オーガ８の縦向き軸心周りに横オーガ９を機体の左側に旋回させて（図２の紙面における反時計周り）、横オーガ９の排出口９ｂをトラックの荷台等（図示せず）が置かれている位置にセットし、排出姿勢とする。
【００２５】
オーガ操作部を操作して、エンジンＥの動力によって穀粒タンク６の底部の排出スクリュを回転させると、べベルギア機構（図示せず）を介して縦オーガ８の縦送りスクリュが回転し、さらにアッパーケース１８内のべベルギア機構（図示せず）を介して横オーガ９の第１及び第２搬送スクリュ（図示せず）が回転する。
【００２６】
これにより穀粒タンク６に貯留された穀粒が、穀粒タンク６の排出スクリュ（図示せず）によって機体後方の縦オーガ８に搬送され、さらに縦オーガ８の内部の縦送りスクリュ（図示せず）によって揚送されて横オーガ９に搬送され、横オーガ９の内部の第１及び第２搬送スクリュ（図示せず）によって横オーガ９の先端の排出口９ｂに搬送され、排出口９ｂからトラックの荷台等（図示せず）に排出される。
【００２７】
穀粒の排出が完了したら、縦オーガ８の縦向き軸心周りに横オーガ９を機体の右側に旋回させて（図２の紙面における時計周り）、横オーガ９の機体側部分９Ａを受け台３０に収納する。このとき、図２に示すように、横オーガ９は、穀粒タンク６の後部から機体の前部左側部に向かって平面視で対角状に配設されるように受け台３０に収納される収納姿勢となる。
【００２８】
［受け台の構成］
図２に示すように、角形鋼管の支柱３１が、操縦部４と縦搬送装置１９との間であって操縦部４の運転席４ａの左斜め後ろ側において機体２から上方に立設しており、その上部に受け台３０を備える。
【００２９】
図３に示すように、受け台３０は、断面がＬ字状のベースプレート３２と、支柱３１を嵌挿可能なリップ溝形鋼３３と、直角三角形状の支持プレート３４と、Ｕ字状の受けプレート３５とを備える。
【００３０】
ベースプレート３２は、水平方向に沿う横板部３２ｃと上下方向に沿う縦板部３２ａとを備える。横板部３２ｃの端部には支柱３１及びリップ溝形鋼３３を挿通させるための貫通孔（図示せず）が形成されており、縦板部３２ａには受けプレート３５を固定するための円弧状の凹部３２ｂが形成されている。
【００３１】
リップ溝形鋼３３は、横板部３２ｃの貫通孔（図示せず）に挿通した状態で、横板部３２ｃの貫通孔（図示せず）の周縁部の下面側において溶接されている（図４（ｂ）参照）。またリップ溝形鋼３３の開放面と対峙する側面に、固定ピン３６を挿通させるためのピン孔（図示せず）が設けられている。
【００３２】
図３及び図４（ｂ）に示すように、支柱３１の上部には、固定ピン３６を挿通させるために水平方向に貫通するピン挿通孔３７が上下方向に２箇所設けられている。
支柱３１を、ベースプレート３２に溶接されたリップ溝形鋼３３の中に嵌挿させて、支柱３１のピン挿通孔３７のいずれかとリップ溝形鋼３３のピン孔（図示せず）との位置を合わせる。そして、固定ピン３６をリップ溝形鋼３３のピン孔と支柱３１のピン挿通孔３７とにわたるように挿通させて、リップ溝形鋼３３の開放面側に突出させ、ベータピン３８を差し込んで抜け止めする。即ち、固定ピン３６を挿通させる支柱３１のピン挿通孔３７を適宜選択することによって、受け台３０の高さ（支柱３１における上下方向の位置）を調節することができる。
【００３３】
支持プレート３４における直角の隣片のそれぞれが、リップ溝形鋼３３の側面及びベースプレート３２の横板部３２ｃの上面に溶接されて固定されている。これにより、リップ溝形鋼３３がベースプレート３２に対してより強固に固定される。
【００３４】
受けプレート３５は、Ｕ字状に折り曲げ加工されており、底部３５ａと該底部３５ａの両端から上方に延出された一対の縦向き部３５ｂとで構成される収納空間Ｓを備える。収納空間Ｓには、横オーガ９の機体側部分９Ａを収納することができる。また一対の縦向き部３５ｂの端部のそれぞれが、下方側にさらに折り曲げられて折り曲げ部３５ｃが形成されている。
【００３５】
受けプレート３５は、上方に向いた姿勢で縦板部３２ａの円弧状の凹部３２ｂの中に嵌め込まれつつ、さらに支持プレート３４の斜辺部によって支持された状態で溶接されて固定されている。
受けプレート３５の一対の縦向き部３５ｂのうち、リップ溝形鋼３３の遠位に位置する縦向き部３５ｂの折り曲げ部３５ｃ（縦向き部３５ｂの上部）に、円筒形のボス部材３９が溶接されて固定されている。
【００３６】
[アーム部の構成]
図３及び図４（ａ），（ｂ）に示すように、アーム部４１は箱状の部材であり、底面４１ａと、底面４１ａから直角に折り曲げられて対峙する２つの横側面４１ｂと、底面４１ａから円弧状に折り曲げられた前面４１ｃと、前面４１ｃと対峙する位置で底面４１ａから直角に折り曲げられた後面４１ｄとを備える。前面４１ｃは２つの横側面４１ｂの前端よりも前にはみ出ており、後面４１ｄは２つの横側面４１ｂの後端よりも前面４１ｃ側に配置される。また、アーム部４１の後面４１ｄは、その端部が横側面４１ｂの後端側に折り曲げられており、アーム部４１が開姿勢にあるときに縦向き部３５ｂの折り曲げ部３５ｃに係止可能なストッパー部材として構成されている。
【００３７】
２つの横側面４１ｂ，４１ｂにおける後面４１ｄよりも後端側の位置には、支点軸となる頭付きボルト４３を挿通させるためのボルト孔４２が設けられている。
【００３８】
また、２つの横側面４１ｂのうちの１つ横側面４１ｂであって、その横側面４１ｂのボルト孔４２よりも後端側の位置の外面には、横オーガ９の機体側部分９Ａと接触する接触部分としての接触棒４４が溶接されている。
【００３９】
接触棒４４は、アーム部４１の延伸方向と略直交する向きで固定されており、固定される基部から先端部にかけてなだらかに山状に隆起する形状を有する。
【００４０】
アーム部４１は、円筒形のボス部材３９を備える折り曲げ部３５ｃに対して、その２つの横側面４１ｂの後端部分を外嵌し、ボス部材３９と２つの横側面４１ｂのボルト孔４２に亘るように頭付きボルト４３を挿通させ、頭付きボルト４３の軸心方向におけるアーム部４１のガタツキを抑える圧縮バネ４５と、平座金４６とを介して２重ナット４７で締結することにより、頭付きボルト４３の軸心周りに揺動自在に連結される。
【００４１】
上記構成により、アーム部４１は、収納空間Ｓの上方を開放すべく上方に向く開姿勢（図４（ｂ）の実線部分）と、収納空間Ｓを上方から覆う閉姿勢（図４（ｂ）の２点鎖線部分）とに揺動自在に構成される。
【００４２】
即ち図４（ｂ）の実線部分に示すように、アーム部４１が開姿勢にあるとき、アーム部４１の底面４１ａと受けプレート３５の縦向き部３５ｂとが略面一となり、アーム部４１が縦向き部３５ｂの延伸方向に沿って上方に向かう姿勢となる。このとき、アーム部４１の後面４１ｄが、ストッパーとして縦向き部３５ｂの折り曲げ部３５ｃに係止することによって、アーム部４１が収納空間Ｓからさらに離れる側への揺動が阻止されて、アーム部４１の開姿勢が保持される。
【００４３】
アーム部４１が開姿勢にある状態では、接触棒４４が収容空間Ｓの上方に配置される。本実施形態においては、接触棒４４の先端部が、横オーガ９の機体側部分９Ａを収納空間Ｓに収納したときの機体側部分９Ａの軸心を通る鉛直面Ｗと交差するように構成されている。
【００４４】
また、アーム部４１が開姿勢にある場合、横オーガ９は、受け台３０の収納空間Ｓに収納されていない。つまり、このときの横オーガ９は、穀粒タンク６に貯留された穀粒を排出すべく、機体の左側に張り出しており、その先端の排出口９ｂが、例えば、機体の左側に配置されたトラックの荷台等に向いている状態となっている。
【００４５】
そして、穀粒タンク６内の穀流の排出を完了した後、横オーガ９を収納姿勢とするために、縦オーガ８の縦向き軸心周りに機体の右側に旋回させて（図２の紙面における時計周り）、横オーガ９の機体側部分９Ａを受け台３０の真上に配置させる。
【００４６】
次いで、縦オーガ８の上端部を支点として横オーガ９を下方に揺動させると、横オーガ９の機体側部分９Ａの下面が、開姿勢にあるアーム部４１の接触棒４４と接触する。これにより、接触棒４４が上からの押圧を受けて、頭付きボルト４３の軸心周りに下方に揺動すると共に、アーム部４１が頭付きボルト４３の軸心周りに収納空間Ｓ側に揺動して、アーム部４１が、収納空間Ｓ、即ち横オーガ９の機体側部分９Ａを上方から覆う閉姿勢となる。
【００４７】
アーム部４１が閉姿勢にある状態では、アーム部４１の延伸方向が、縦向き部３５ｂの延伸方向と直交しており、アーム部４１の延伸方向における縦向き部３５ｂからの長さＴは、横オーガ９の機体側部分９Ａの断面における半径ｒよりも長く設定されている（Ｔ＞ｒ）。
【００４８】
尚、本実施形態においては、ベースプレート３２の横板部３２ｃのリップ溝形鋼３３が固定されている側とは反対側の端部に、Ｌ字状のステー４８が溶接されている。このステー４８には、中にクッション部材５２を備える平面視で三角形状の板バネ４９がボルトとナットで締結固定されており、さらに、アーム部４１が開姿勢にあることを検出する検出手段としてのスイッチ部材５０が嵌め込まれて固定されている。また、アーム部４１の接触棒４４には、アーム部４１が閉姿勢にあるときにスイッチ部材５０と接触する板片５１が溶接されている。
【００４９】
板バネ４９は、アーム部４１を閉姿勢に保持及び保持解除自在な保持手段として機能するものである。即ち、アーム部４１が開姿勢から閉姿勢に切り換るとき、収納空間Ｓの上方から下方に揺動してきた接触棒４４が、板バネ４９の互いに当接し合う２枚の薄板の間にその当接力に抗して入り込み、板バネ４９の内部のクッション部材５２に当たって板バネ４９の中に収容されると共に、接触棒４４の板片５１がスイッチ部材５０に接触する。
【００５０】
アーム部４１の接触棒４４が板バネ４９の中に収容されることで、アーム部４１が閉姿勢に保持される。そして、接触棒４４の板片５１がスイッチ部材５０に接触することで、表示手段としてのランプ５３に電気信号が伝わり、ランプ５３が点灯又は消灯するように構成されている。例えば、横オーガ９が、受け台３０に収納されていない場合、即ちアーム部４１が開姿勢となって接触棒４４の板片５１がスイッチ部材５０と接触していないときにランプ５３が点灯し、接触棒４４の板片５１がスイッチ部材５０と接触するとランプ５３が消灯するようにして、アーム部４１が開姿勢にあることを検出するようにしても良いし、あるいは逆に、アーム部４１が開姿勢となって接触棒４４の板片５１がスイッチ部材５０と接触していないときにランプ５３が消灯し、接触棒４４の板片５１がスイッチ部材５０と接触するとランプ５３が点灯するようにして、アーム部４１が閉姿勢にあることを検出するようにしても良い。
【００５１】
ランプ５３は、操縦部４や横オーガ９等、適当な位置に設けることができるが、作業者が横オーガ９を収納姿勢に旋回させる際に、視線の移動が少なくて済むように、横オーガ９の先端（排出口９ｂ等）に設けることが好ましい。
【００５２】
一方、横オーガ９を再び排出姿勢とする場合には、縦オーガ８の上端部を支点として横オーガ９を上方に揺動させると、横オーガ９の機体側部分９Ａの上面が、閉姿勢にあるアーム部４１と接触する。これにより、アーム部４１が下からの押圧を受けて、頭付きボルト４３の軸心周りに上方に揺動すると共に、接触棒４４が頭付きボルト４３の軸心周りに上方に揺動して板バネ４９の互いに当接し合う２枚の薄板の間にその当接力に抗して入り込んで抜け出し、アーム部４１の閉姿勢保持が解除される。そして、アーム部４１の後面４１ｄが縦向き部３５ｂの折り曲げ部３５ｃに係止すると、アーム部４１の底面４１ａと受けプレート３５の縦向き部３５ｂとが略面一となり、アーム部４１が縦向き部３５ｂの延伸方向に沿って上方に向かう開姿勢となる。
【００５３】
〔第２実施形態〕
以下に本発明の第２実施形態について説明するが、ここでは、上記第１実施形態と異なる受け台３０及びアーム部４１の構成についてのみ説明し、上記第１実施形態で説明した構成部品と同じ作用を有する構成部品については、同じ符号を付すことにより説明を省略する。
【００５４】
［受け台の構成］
図５に示すように、本実施形態における受け台３０は、ベースプレート３２の横板部３２ｃの下面に対して、リップ溝形鋼３３の端面が直接溶接されている。そして、支持プレート３４における直角の隣片のそれぞれが、リップ溝形鋼３３の側面及びベースプレート３２の横板部３２ｃの下面に溶接されて固定されている。
【００５５】
リップ溝形鋼３３の開放面に、リップ溝形鋼３３と略同じ幅を持つ平板６３が溶接されている。そして、固定ピン３６を挿通させるために平板６３と、平板６３と対峙するリップ溝形鋼３３の側面とにわたって水平方向に貫通するピン挿通孔３７が、上下方向に２箇所設けられている。また、支柱３１の上端には、固定ピン３６を挿通させるために水平方向に貫通するピン挿通孔（図示せず）が設けられている。
【００５６】
支柱３１をベースプレート３２に溶接されたリップ溝形鋼３３の中に嵌挿させて、支柱３１のピン挿通孔（図示せず）とリップ溝形鋼３３側のピン挿通孔３７のいずれかとの位置を合わせる。そして、固定ピン３６をリップ溝形鋼３３側のピン挿通孔と支柱３１のピン挿通孔（図示せず）とにわたるように挿通させて、リップ溝形鋼３３の平板６３側に突出させ、ベータピン３８を差し込んで抜け止めする。即ち、固定ピン３６を挿通させるリップ溝形鋼３３のピン挿通孔３７を適宜選択することによって、受け台３０の高さ（支柱３１における上下方向の位置）を調節することができる。
【００５７】
図５、及び図６（ａ），（ｂ）に示すように、ベースプレート３２の縦板部３２ａにおいて、リップ溝形鋼３３側とは反対側の端部の側面に、ハット形状に曲げ加工されたケーシング６４がボルトで固定されている。
【００５８】
図５及び図７（ａ），（ｂ）に示すように、ケーシング６４は、受けプレート３５の一対の縦向き部３５ｂのうち、リップ溝形鋼３３の遠位に位置する縦向き部３５ｂに沿うように傾斜して固定されている。ケーシング６４の凹部６４ａの天板６４ｂには、凹部６４ａ内に収容されるネジリバネ６５を支持するための支持ピン６６と、ネジリバネ６５の端部を係止させておくための第１係止ピン６７とが、天板６４ｂから凹部６４ａ内に突出させるように設けられている。尚、図７（ａ）及び（ｂ）に示すように、支持ピン６６及び第１係止ピン６７は、ケーシング６４の天板６４ｂにおいて、紙面上の左側に配置され、且つ上下方向に並べて配置される。
【００５９】
また図５、図６（ｂ）及び図７（ａ），（ｂ）に示すように、天板６４ｂの略中央部には、天板６４ｂの厚み方向に貫通する円弧状の長孔６９が形成されており、その長孔６９の円弧の中心付近に、天板６４ｂの厚み方向に貫通する丸孔７０が形成されている。
【００６０】
[アーム部の構成]
アーム部４１は全体的に細長で丸みを帯びた平板で構成されている。アーム部４１の端部には、支点軸となる頭付きピン６３を取り付けるための第１取付孔６１と、ネジリバネ６５の端部を係止させておくための第２係止ピン６８を取り付けるための第２取付孔６２とが設けられている。尚、第１取付孔６１は、第２取付孔６２よりも少し大径であり、またアーム部４１の少し内側に設けられている。
【００６１】
アーム部４１の第１取付孔６１及び第２取付孔６２の付近の端部の側面には、横オーガ９の機体側部分９Ａと接触する接触部分としての接触棒４４が溶接されている。接触棒４４は、アーム部４１の延伸方向と略直交する向きで固定されており、固定される基部から先端部にかけてなだらかに山状に隆起する形状を有する。
【００６２】
図５に示すように、頭付きピン６３が、アーム部４１の第１取付孔６１と、ケーシング６４の天板６４ｂの丸孔７０とに亘って挿通されており、丸孔７０側で抜け止めされている。これにより、アーム部４１が、ケーシング６４に対して頭付きピン６３の軸心周りに揺動自在に連結される。
【００６３】
また、第２係止ピン６８が、アーム部４１の第２取付孔６２と、ケーシング６４の天板６４ｂの長孔６９とに亘って挿通されており、第２係止ピン６８の端部が、ケーシング６４の天板６４ｂから凹部６４ａ内に突出した状態となる。アーム部４１が頭付きピン６３の軸心周りに揺動すると、第２係止ピン６８の端部もアーム部４１の揺動と共に長孔６９に沿って移動する。
【００６４】
図７（ａ）及び（ｂ）に示すように、ネジリバネ６５は、支持ピン６６で支持されつつ、ケーシング６４の凹部６４ａ内に収容される。ネジリバネ６５の両端は、互いに離間する方向に付勢されつつ、その一端が第１係止ピン６７に係止され、他端が第２係止ピン６８に係止されて、上方に向かう姿勢に保持される。
【００６５】
上記構成により、アーム部４１は、収納空間Ｓの上方を開放すべく上方に向く開姿勢（図６（ｂ）の実線部分、図７（ａ））と、収納空間Ｓを上方から覆う閉姿勢（図６（ｂ）の２点鎖線部分、図７（ｂ））とに揺動自在に構成される。
【００６６】
即ち、図６（ｂ）の実線部分、及び図７（ａ）に示すように、アーム部４１が開姿勢にあるとき、アーム部４１の底面４１ａと受けプレート３５の縦向き部３５ｂとが略面一となり、アーム部４１が縦向き部３５ｂの延伸方向に沿って上方に向かう姿勢となる。このとき、アーム部４１の第２係止ピン６８が、長孔６９の下端側に移動するように（アーム部４１が開姿勢側に揺動するように）ネジリバネ６５によって付勢されつつ、ストッパーとしてケーシング６４の長孔６９の下端に当接することによって、アーム部４１が収納空間Ｓからさらに離れる側への揺動が阻止されて、アーム部４１の開姿勢が保持される。
【００６７】
図６（ｂ）に示すように、アーム部４１が開姿勢にある状態では、接触棒４４が収容空間Ｓの上方に配置される。本実施形態においては、接触棒４４の先端部が、横オーガ９の機体側部分９Ａを収納空間Ｓに収納したときの機体側部分９Ａの軸心を通る鉛直面Ｗと交差するように構成されている。
【００６８】
またアーム部４１が開姿勢にある場合、横オーガ９は、受け台３０の収納空間Ｓに収納されていない。つまり、このときの横オーガ９は、穀粒タンク６に貯留された穀粒を排出すべく、機体の左側に張り出しており、その先端の排出口９ｂが、例えば、機体の左側に配置されたトラックの荷台等に向いている状態となっている。
【００６９】
そして、穀粒タンク６内の穀流の排出を完了した後、横オーガ９を収納姿勢とするために、縦オーガ８の縦向き軸心周りに機体の右側に旋回させて（図２の紙面における時計周り）、横オーガ９の機体側部分９Ａを受け台３０の真上に配置させる。
【００７０】
次いで、縦オーガ８の上端部を支点として横オーガ９を下方に揺動させると、横オーガ９の機体側部分９Ａの下面が、開姿勢にあるアーム部４１の接触棒４４と接触する。これにより、接触棒４４が上からの押圧を受けて、頭付きピン６３の軸心周りに下方に揺動すると共に、アーム部４１が頭付きピン６３の軸心周りに収納空間Ｓ側に揺動する。
【００７１】
このとき、アーム部４１が収納空間Ｓ側に揺動すると、アーム部４１の第２係止ピン６８が長孔６９に沿って上方に移動して、ネジリバネ６５の両端が互いに近接する。そして、それまで長孔６９の下端側に移動するように付勢されていた第２係止ピン６８が、長孔６９における所定のデッドポイントを通過すると、今度は長孔６９の上端側に移動するように（アーム部４１が閉姿勢側に揺動するように）ネジリバネ６５によって付勢される。これにより、アーム部４１が、収納空間Ｓ、即ち横オーガ９の機体側部分９Ａを上方から覆う閉姿勢に保持される。
【００７２】
また、アーム部４１が開姿勢から閉姿勢に切り換るとき、収納空間Ｓの上方から下方に揺動してきた接触棒４４が、板バネ４９の互いに当接し合う２枚の薄板の間にその当接力に抗して入り込み、板バネ４９の内部のクッション部材５２に当たって板バネ４９の中に収容されると共に、接触棒４４の板片５１がスイッチ部材５０に接触する。アーム部４１の接触棒４４が板バネ４９の中に収容されることで、アーム部４１がさらにより確実に閉姿勢に保持される
【００７３】
アーム部４１が閉姿勢にある状態では、アーム部４１の延伸方向が、縦向き部３５ｂの延伸方向と直交しており、アーム部４１の延伸方向における縦向き部３５ｂからの長さＴは、横オーガ９の機体側部分９Ａの断面における半径ｒよりも長く設定されている（Ｔ＞ｒ）。
【００７４】
一方、横オーガ９を再び排出姿勢とする場合には、縦オーガ８の上端部を支点として横オーガ９を上方に揺動させると、横オーガ９の機体側部分９Ａの上面が、閉姿勢にあるアーム部４１と接触する。これにより、アーム部４１が下からの押圧を受けて、頭付きピン６３の軸心周りに上方に揺動すると共に、接触棒４４が頭付きピン６３の軸心周りに上方に揺動して板バネ４９の互いに当接し合う２枚の薄板の間にその当接力に抗して入り込んで抜け出してアーム部４１の閉姿勢保持が解除される。
【００７５】
このとき、アーム部４１が上方に揺動すると、アーム部４１の第２係止ピン６８が長孔６９に沿って下方に移動して、ネジリバネ６５の両端が互いに離間する。そして、それまで長孔６９の上端側に移動するように付勢されていた第２係止ピン６８が、長孔６９における所定のデッドポイントを通過すると、今度は長孔６９の下端側に移動するようにネジリバネ６５によって付勢される。そして、アーム部４１の第２係止ピン６８が長孔６９の下端に当接すると、アーム部４１の底面４１ａと受けプレート３５の縦向き部３５ｂとが略面一となり、アーム部４１が縦向き部３５ｂの延伸方向に沿って上方に向かう開姿勢となる。
【００７６】
〔別実施形態〕
〔１〕前述の実施形態におけるアーム部４１を、受け台３０の縦向き部３５ｂに対して、横方向にスライド移動するように取り付けることによって構成しても良い。即ち、開姿勢においては、アーム部４１が受け台３０の縦向き部３５ｂの横外方に張り出して収納空間Ｓの上方を開放しており、閉姿勢においては、横オーガ９を収納空間Ｓに収納するときにアーム部４１の接触部分に接触することによって、アーム部４１が受け台３０側にスライド移動して収納空間Ｓの上方を覆うように構成される。
〔２〕前述の第１及び第２実施形態における、板バネ４９（保持手段）、スイッチ部材５０（検出手段）、及びランプ５３（表示手段）については、必要に応じて設けるようにして良い。
【産業上の利用可能性】
【００７７】
本発明は、自脱型のコンバインに限らず、普通型のコンバインにも利用することができる。
【符号の説明】
【００７８】
６  穀粒タンク
８  縦オーガ
９  横オーガ
３０  受け台
３５  受けプレート
３５ａ  底部
３５ｂ  縦向き部
４１  アーム部
４１ｄ  後面（ストッパー部材）
４４  接触棒（接触部分）
４９  板バネ（保持手段）
５０  スイッチ部材（検出手段）
５３  ランプ（表示手段）
Ｓ  収納空間
【図１】
0005921086.tif 000002
【図２】
0005921086.tif 000003
【図３】
0005921086.tif 000004
【図４】
0005921086.tif 000005
【図５】
0005921086.tif 000006
【図６】
0005921086.tif 000007
【図７】
0005921086.tif 000008